(57)【要約】 【課題】視聴者が映像を立体として見える範囲を広くすることが可能な画像表示装置、画像処理装置および画像処理方法を提供する。【解決手段】画像表示装置は、並べ替え部と、スケーリング部と、表示部と、視差制御部とを備える。並べ替え部は、複数の第１の視差画像信号を色信号ごとに直列に並べ替えて、第２の視差画像信号を生成する。スケーリング部は、前記第２の視差画像信号を水平方向にスケーリングして、第３の視差画像信号を生成する。表示部は、前記前記第３の視差画像信号の少なくとも一部を表示する。視差制御部は、前記表示部からの光を特定方向に向ける。【選択図】図１
2012175372.tif 000002
【特許請求の範囲】
【請求項１】
複数の第１の視差画像信号を色信号ごとに直列に並べ替えて、第２の視差画像信号を生成する並べ替え部と、
前記第２の視差画像信号を水平方向にスケーリングして、第３の視差画像信号を生成するスケーリング部と、
前記第３の視差画像信号の少なくとも一部を表示する表示部と、
前記表示部からの光を特定方向に向ける視差制御部と、を備えることを特徴とする画像表示装置。
【請求項２】
前記スケーリング部は、前記表示部を視聴する視聴者の位置に応じて、前記第２の視差画像信号をスケーリングすることを特徴とする請求項１に記載の画像表示装置。
【請求項３】
前記スケーリング部は、視聴者の位置に応じた拡大率で前記第２の視差画像信号をスケーリングすることを特徴とする請求項１に記載の画像表示装置。
【請求項４】
前記スケーリング部は、前記視聴者が前記表示部に近いほど拡大率を大きくすることを特徴とする請求項３に記載の画像表示装置。
【請求項５】
入力画像信号に基づいて、前記複数の第１の視差画像信号を生成する多視差画像生成部を備えることを特徴とする請求項１に記載の画像表示装置。
【請求項６】
前記視差制御部は、レンチキュラレンズであることを特徴とする請求項１に記載の画像表示装置。
【請求項７】
複数の第１の視差画像信号を色信号ごとに直列に並べ替えて、第２の視差画像信号を生成する並べ替え部と、
前記第２の視差画像信号を水平方向にスケーリングして、第３の視差画像信号を生成するスケーリング部と、を備えることを特徴とする画像処理装置。
【請求項８】
前記スケーリング部は、前記第３の視差画像信号の少なくとも一部が表示される表示部を視聴する視聴者の位置に応じて、前記第２の視差画像信号をスケーリングすることを特徴とする請求項７に記載の画像処理装置。
【請求項９】
前記スケーリング部は、前記第３の視差画像信号の少なくとも一部が表示される表示部を視聴する視聴者の位置に応じた拡大率で前記第２の視差画像信号をスケーリングすることを特徴とする請求項７に記載の画像処理装置。
【請求項１０】
前記スケーリング部は、前記視聴者が前記表示部に近いほど拡大率を大きくすることを特徴とする請求項９に記載の画像処理装置。
【請求項１１】
入力画像信号に基づいて、前記複数の第１の視差画像信号を生成する多視差画像生成部を備えることを特徴とする請求項８に記載の画像処理装置。
【請求項１２】
複数の第１の視差画像信号を色信号ごとに直列に並べ替えて、第２の視差画像信号を生成するステップと、
前記第２の視差画像信号を水平方向にスケーリングして、第３の視差画像信号を生成するステップと、を備えることを特徴とする画像処理方法。
【発明の詳細な説明】
【技術分野】
【０００１】
本発明の実施形態は、画像表示装置、画像処理装置および画像処理方法に関する。
【背景技術】
【０００２】
近年、映像信号を立体的に表示する立体画像表示装置が普及しつつある。立体画像表示装置では、視点が異なる複数の視差画像が表示され、左目と右目で異なる視差画像を見ることにより、映像信号が立体的に見える。
【０００３】
立体画像を表示する手法の１つである裸眼方式では、例えば液晶ディスプレイに複数の視差画像が同時に表示され、その上にレンチキュラレンズが配置される。視聴者はレンチキュラレンズを介して液晶ディスプレイを見ることで、左目と右目で異なる視差画像を見ることができる。しかしながら、裸眼方式では、映像を立体として見える範囲を十分に広くできないという問題がある。
【先行技術文献】
【特許文献】
【０００４】
【特許文献１】特開平９−１０２９６８号公報
【発明の概要】
【発明が解決しようとする課題】
【０００５】
視聴者が映像を立体として見える範囲を広くすることが可能な画像表示装置、画像処理装置および画像処理方法を提供する。
【課題を解決するための手段】
【０００６】
実施形態によれば、画像表示装置は、並べ替え部と、スケーリング部と、表示部と、視差制御部とを備える。並べ替え部は、複数の第１の視差画像信号を色信号ごとに直列に並べ替えて、第２の視差画像信号を生成する。スケーリング部は、前記第２の視差画像信号を水平方向にスケーリングして、第３の視差画像信号を生成する。表示部は、前記前記第３の視差画像信号の少なくとも一部を表示する。視差制御部は、前記表示部からの光を特定方向に向ける。
【図面の簡単な説明】
【０００７】
【図１】一実施形態に係る画像表示装置の概略ブロック図。
【図２】入力画像信号に対応する入力画像の一例を示す図。
【図３】入力画像信号の構成の一例を示す図。
【図４】多視差画像生成部１により生成される視差画像信号１ａ〜１ｉに対応する視差画像の一例を示す図。
【図５】多視差画像信号の構成の一例を示す図。
【図６】連続視差画像信号の構成の一例を示す図。
【図７】スケーリング部３の内部構成の一例を示すブロック図。
【図８】表示部２００およびレンチキュラレンズ３００の断面図。
【図９】表示部２００のピクセルの構成を示す図。
【図１０】表示部２００およびレンチキュラレンズ３００の断面図。
【図１１】表示部２００およびレンチキュラレンズ３００の断面図。
【図１２】表示部２００およびレンチキュラレンズ３００の断面図。
【発明を実施するための形態】
【０００８】
以下、画像表示装置、画像処理装置および画像処理方法の実施形態について、図面を参照しながら具体的に説明する。
【０００９】
図１は、一実施形態に係る画像表示装置の概略ブロック図である。画像表示装置は、画像処理装置１００と、表示部２００とを備えている。また、画像処理装置１００は、多視差画像生成部１と、並べ替え部２と、スケーリング部３とを有する。
【００１０】
図１の多視差画像生成部１は、２次元画像信号である入力画像信号から、それぞれ異なる視点から見た複数の視差画像信号１ａ〜１ｉを生成し、並べ替え部２に供給する。より具体的には以下のようにする。例えば、左の方向から見た視差画像の場合、手前にある物体は奥にある物体より右側にずれて見える。そのため、外部から入力される奥行き情報または入力画像信号を解析して得られる奥行き情報に基づき、多視差画像生成部１は入力画像信号における手前にある物体を右側にずらす処理を行う。奥行きが大きいほどずらす量を大きくする。そして、もともと物体があった場所を周辺の画素を用いて適宜補間する。
【００１１】
図２は、入力画像信号に対応する入力画像の一例を示す図である。本実施形態では、水平方向１２８０画素×垂直方向７２０画素の入力画像が入力される例を示す。また、図３は、入力画像信号の構成の一例を示す図である。入力画像信号は、例えばそれぞれ１０ビットの赤信号Ｒ、緑信号Ｇおよび青信号Ｂの３つの信号を含む。同図では、これらの信号値をＲ１，Ｒ２・・・等としている。
【００１２】
図４は、多視差画像生成部１により生成される視差画像信号１ａ〜１ｉに対応する視差画像の一例を示す図である。本実施形態では、水平方向の左から右にかけて９か所の位置から見た第１〜第９の視差画像信号１ａ〜１ｉを生成する。これらをまとめて多視差画像信号（第１の視差画像信号）と呼ぶ。また、第１〜第９の視差画像信号１ａ〜１ｉにそれぞれ対応する第１〜第９の視差画像をまとめて多視差画像と呼ぶ。
【００１３】
図５は、多視差画像信号の構成の一例を示す図である。第ｎ（ｎ＝１〜９）の視点から見た第ｎの視差画像信号１ｘ（ｘ＝ａ〜ｉ）は、例えばそれぞれ１０ビットの赤信号Ｒｘ、緑信号Ｇｘおよび青信号Ｂｘの３本の信号を含む。よって、多視差画像信号は合計２７本の信号を含む。同図では、これらの信号値をＲａ１，Ｒａ２・・・等としている。
【００１４】
以下では、赤信号Ｒｘ、緑信号Ｇｘおよび青信号Ｂｘのそれぞれをエレメント信号と呼ぶ。そして、第ｎの視差画像を構成するこれら３本の信号Ｒｘ，Ｇｘ，Ｂｘをまとめて第ｎのサブピクセル信号と呼ぶ。さらに、多視差画像信号のサブピクセル信号を全てまとめて３次元画像のピクセル（または、単にピクセル）信号と呼ぶ。すなわち、３次元画像のピクセル信号は９本のサブピクセル信号、言い換えると、２７本のエレメント信号を有する。
【００１５】
なお、本実施形態では、画像処理装置１００内に多視差画像生成部１が設けられる例を示すが、多視差画像生成部１を設けずに、外部から例えば第１〜第９の視差画像信号を並べ替え部２に供給してもよい。
【００１６】
次に、図１の並べ替え部２は、多視差画像信号に含まれる２７本の信号を色ごとに直列に並べ替えて、連続視差画像信号（第２の視差画像信号）を生成する。図６は、連続視差画像信号の構成の一例を示す図である。連続視差画像信号は、赤信号Ｒａ〜Ｒｉが連続する赤信号Ｒｓｅｒｉ、緑信号Ｇａ〜Ｇｉが連続する緑信号Ｇｓｅｒｉおよび青信号Ｂａ〜Ｂｉが連続する青信号Ｂｓｅｒｉの３本の信号を含む。このように、並べ替え部２は、図５に示すような複数の（パラレル）信号を、図６に示すような色ごとに連続した（シリアル）信号に変換する。
【００１７】
本実施形態では、入力画像信号の水平方向の画素数が１２８０画素であり、９個の視差画像を生成するので、連続視差画像信号における赤信号Ｒｓｅｒｉ、緑信号Ｇｓｅｒｉおよび青信号Ｂｓｅｒｉのそれぞれは、１フレームにつき水平方向に１２８０×９値を有する。
【００１８】
次に、図１のスケーリング部３は、連続視差画像信号を所定の倍率で水平方向に拡大する。倍率については後述するが、ここでは、水平方向の値を４個増やすために、（１２８０×９＋４）／（１２８０×９）倍に拡大するとする。
【００１９】
図７は、スケーリング部３の内部構成の一例を示すブロック図である。スケーリング部３は、複数の遅延部（ＤＦＦ）３１と、２つの選択部（ＭＵＸ）３２，３３と、レジスタ（ＲＥＧ）３４と、混合部（ＭＩＸ）３５とを有する。図示していないが、同図のスケーリング部３が、赤信号Ｒｓｅｒｉ用、緑信号Ｇｓｅｒｉ用および青信号Ｂｓｅｒｉ用の３つ設けられる。以下では、赤信号Ｒｓｅｒｉ用のスケーリング部３を代表して説明する。
【００２０】
遅延部３１のそれぞれは赤信号Ｒｓｅｒｉを遅延させて、複数の遅延信号を生成する。選択部３２，３３は、レジスタ３４の制御により、複数の遅延信号のうちの１つをそれぞれ選択する。レジスタ３４は、倍率に応じてあらかじめ定めた複数の係数のうちの２つを、混合部３５に供給する。混合部３５は、選択部３２により選択された遅延信号と供給される一方の係数とを乗じた値と、選択部３３により選択された遅延信号と供給される他方の係数とを乗じた値と、を加算する。レジスタ３４は、水平方向の有効データ期間を示す信号ＤＥに応じて、選択する遅延信号を制御したり、係数を混合部３５に供給したりする。これにより、水平方向に１２８０×９＋４値を有する拡大された連続視差画像信号（第３の視差画像信号）が生成され、表示部２００に供給される。
【００２１】
図１の表示部２００は、例えば液晶ディスプレイである。そして、表示部２００にはレンチキュラレンズ（視差制御部）３００が貼られている。図８は、表示部２００およびレンチキュラレンズ３００の断面図である。表示部２００は連続視差画像信号を表示するための複数のピクセルを有する。
【００２２】
図９は、表示部２００のピクセルの構成を示す図である。同図に示すように、ピクセルは水平方向に並ぶ第１〜第９のサブピクセルを有する。また、第ｎのピクセルは垂直方向に並ぶエレメントＲｘ，Ｇｘ，Ｂｘを有する。エレメントＲａ〜Ｒｉ，Ｇａ〜Ｇｉ，Ｂａ〜Ｂｉは、対応するエレメント信号である赤信号Ｒａ〜Ｒｉ、緑信号Ｇａ〜Ｇｉおよび緑信号Ｂａ〜Ｂｉの値に応じた輝度の光を発する。そして、図８の表示部２００の１つの四角は１つのサブピクセルを示している。
【００２３】
図８の例では、表示部２００は、水平方向に１２８０ピクセル、言い換えると、１２８０×９サブピクセルを有する。そして、スケーリング部３により生成された水平方向に１２８０×９＋４値を有する連続視差画像信号のうち、左端の２サブピクセルに対応する２値および右端の２サブピクセルに対応する２値は表示部２００には表示されず、中央の１２８０×９値が表示される。
【００２４】
図８のレンチキュラレンズ３００は水平方向に１２８０個の凸部を有し、凸部のそれぞれは、表示部２００内の１２８０ピクセルのそれぞれに対応するように貼り付けられる。そして、対応するピクセル内のサブピクセルが発する光を凸部の頂点近辺から出力する。例えば、サブピクセル４１ａが発する光は直線５１の方向に出力される。また、表示部２００とレンチキュラレンズ３００との間の距離に応じて、凸部と対応するピクセルの周辺のサブピクセルが発する光もレンチキュラレンズ３００から出力される。例えば、連続視差画像信号のうち、左から７番目のサブピクセル４２ａが発する光は直線５２の方向に出力され、同じく右から７番目のサブピクセル４３ａが発する光は直線５３の方向に出力される。
【００２５】
その結果、直線５２と直線５３の内側の領域６１（図８のスポットで示す領域）に視聴者がいる場合、映像が立体的に見えることになる。
【００２６】
図１０は、仮に並べ替え部２およびスケーリング部３による拡大処理を行わず、水平方向に１２８０×９値を有する多視差画像信号を表示部２００に表示した場合の表示部２００およびレンチキュラレンズ３００の断面図である。図８におけるサブピクセル４２ａは、拡大処理を行う前の図１０におけるサブピクセル４２ｂに対応するが、サブピクセル４２ｂが発する光は直線５４の方向に出力される。同様に、サブピクセル４３ａに対応するサブピクセル４３ｂが発する光は直線５５の方向に出力される。結果として、映像が立体的に見えるのは、直線５４と直線５５の内側の領域６２（図１０の斜線で示す領域）のみとなってしまう。
【００２７】
これに対し、本実施形態による図８の領域６１では、図１０領域６２と比べ、より表示部２００に近い位置からでも立体的に見える。また、表示部２００からの距離が一定の場合で比べても、立体的に見える範囲を広くできる。
【００２８】
なお、図８では水平方向に１２８０×９＋４値を有するが、そのうちの左右２値ずつは表示されないため、予めスケーリング部３で左右２値ずつを生成しないようにしてもよい。
【００２９】
図８では、連続視差画像信号のうち中央の１２８０×９値を表示部２００に表示する例を示した。これに対し、図１１に示すように、１２８０×９＋４値のうち、右端の４サブピクセルに対応する４値を表示せず、他の１２８０×９＋４値を表示してもよい。図８のサブピクセル４２ａおよび４３ａにそれぞれ対応する図１１のサブピクセル４２ｃおよび４３ｃからの光は図示の方向に出力される。図１１の場合、図８と比べ、より右側のサブピクセルに連続視差画像信号がスライドするため、立体的に見える領域６３は左側にずれる。そのため、視聴者が表示部２００の左側にいる場合には図１１のように表示するのがよい。
【００３０】
図７のスケーリング部３において、レジスタ３４により選択する遅延信号や係数を調整することにより、図１１のように表示するための連続視差画像信号を生成できる。したがって、表示するサブピクセルの位置を調整することも「スケーリングする」と呼ぶことにする。
【００３１】
また、図８および図１１では水平方向に１２８０×９＋４値を有する連続視差画像信号を生成したが、例えば、スケーリング部３で（１２８０×９＋８）／（１２８０×９）倍に拡大して水平方向に１２８０×９＋８値を有する連続視差画像信号を生成してもよい。この場合、図８のサブピクセル４２ａおよび４３ａにそれぞれ対応する図１２のサブピクセル４２ｄおよび４３ｄからの光は図示の方向に出力される。図８と比べ、連続視差画像信号の水平方向の値が多いため、表示部２００により近い位置でも立体的に見えるようになる。より一般的には、水平方向の値が多いほど、表示部２００に近い位置からでも立体的に見えるが、表示部２００から離れた位置では立体的に見える範囲が狭くなる。
【００３２】
上記のように、視聴者の位置に応じて、最適な表示するサブピクセルの位置や数は異なる。そのため、視聴者の位置に応じて表示するサブピクセルの位置や数、スケーリング部３の拡大率を切り替えてもよい。これらの切り替えは、スケーリング部のレジスタ３４により選択する遅延信号や係数により制御できる。
【００３３】
視聴者の位置はセンサ（例えばカメラセンサ）により自動的に取得してもよい。また、視聴者がリモコン等を用いて設定してもよい。この場合、視聴者が自らの位置情報を画像表示装置に送信してもよいし、表示部２００の一部に視域調整用ＧＵＩ（Graphical User Interface）を表示して調整してもよい。より具体的には、３次元サンプル画像と、スケーリング部３のスケーリング処理に対応する調整バー（２次元表示）とを表示する。そして、視聴者がリモコンでカーソル選択操作等を行うと、これに応じて調整バーが伸縮するとともにスケーリング処理、すなわち、スケーリング部３での拡大率や表示部２００に表示される位置が調整され、画像信号の見え方が変化する。このようなＧＵＩを用いて、３次元サンプル画像が最も良く見える調整値を視聴者が設定できるようにしてもよい。
【００３４】
なお、本実施形態では、水平方向１２８０画素の入力画像が入力され、スケーリング部３により水平方向のピクセル数を１２８０より多くする例を示したが、入力画像の水平方向の画素数が１２８０より少ない場合でも、入力画像の水平方向の画素数を１２８０に拡大して表示することで、立体的に見える範囲を広くすることができる。また、連続視差画像信号を一定の倍率で水平方向に拡大し、その少なくとも一部を視聴者の位置に応じた表示部２００のサブピクセルに表示してもよい。また、スケーリング部３は連続視差画像信号を縮小して、表示部２００上の適切な位置に表示してもよい。
【００３５】
また、本実施形態ではレンチキュラレンズ３００を用いる例を示したが、視差バリアや偏光板を視差分割部として用い、表示部２００のサブピクセルからの光を特定方向に向けるようにしてもよい。
【００３６】
このように、本実施形態では、入力画像を水平方向に拡大して表示するため、立体的に見える範囲を広くすることができる。
【００３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１  多視差画像生成部
２  並べ替え部
３  スケーリング部
１００  画像処理装置
２００  表示部
３００  レンチキュラレンズ
【図１】
2012175372.tif 000003
【図３】
2012175372.tif 000004
【図５】
2012175372.tif 000005
【図６】
2012175372.tif 000006
【図７】
2012175372.tif 000007
【図８】
2012175372.tif 000008
【図９】
2012175372.tif 000009
【図１０】
2012175372.tif 000010
【図１１】
2012175372.tif 000011
【図１２】
2012175372.tif 000012
【図２】
2012175372.tif 000013
【図４】
2012175372.tif 000014
【手続補正書】
【提出日】平成24年2月1日(2012.2.1)
【手続補正１】
【補正対象書類名】明細書
【補正対象項目名】０００６
【補正方法】変更
【補正の内容】
【０００６】
実施形態によれば、画像表示装置は、並べ替え部と、スケーリング部と、表示部と、視差制御部とを備える。並べ替え部は、それぞれが所定数の色信号を有する複数のサブピクセル信号を含む第１の視差画像信号を色信号ごとに直列に並べ替えて、前記色信号とそれぞれ対応する前記所定数の色信号列を含む第２の視差画像信号を生成する。スケーリング部は、前記第２の視差画像信号に含まれる前記色信号列のそれぞれを水平方向にスケーリングして、第３の視差画像信号を生成する。表示部は、前記前記第３の視差画像信号の少なくとも一部を表示する。視差制御部は、前記表示部からの光を特定方向に向ける。前記第３の視差画像信号を用いて前記表示部に表示される画像を視聴者が立体視可能な範囲は、前記第２の視差画像信号を用いて前記表示部に表示される画像を立体視可能な範囲よりも広い。
【手続補正２】
【補正対象書類名】特許請求の範囲
【補正対象項目名】全文
【補正方法】変更
【補正の内容】
【特許請求の範囲】
【請求項１】
それぞれが所定数の色信号を有する複数のサブピクセル信号を含む第１の視差画像信号を、前記色信号ごとに直列に並べ替えて、前記色信号とそれぞれ対応する前記所定数の色信号列を含む第２の視差画像信号を生成する並べ替え部と、
前記第２の視差画像信号に含まれる前記色信号列のそれぞれを水平方向にスケーリングして、第３の視差画像信号を生成するスケーリング部と、
前記第３の視差画像信号の少なくとも一部を表示する表示部と、
前記表示部からの光を特定方向に向ける視差制御部と、を備え、
前記第３の視差画像信号を用いて前記表示部に表示される画像を視聴者が立体視可能な範囲は、前記第２の視差画像信号を用いて前記表示部に表示される画像を立体視可能な範囲よりも広いことを特徴とする画像表示装置。
【請求項２】
前記スケーリング部は、前記表示部を視聴する視聴者の位置に応じて、前記第２の視差画像信号をスケーリングすることを特徴とする請求項１に記載の画像表示装置。
【請求項３】
前記スケーリング部は、視聴者の位置に応じた拡大率で前記第２の視差画像信号をスケーリングすることを特徴とする請求項１に記載の画像表示装置。
【請求項４】
前記スケーリング部は、前記視聴者が前記表示部に近いほど拡大率を大きくすることを特徴とする請求項３に記載の画像表示装置。
【請求項５】
入力画像信号に基づいて、前記複数の第１の視差画像信号を生成する多視差画像生成部を備えることを特徴とする請求項１に記載の画像表示装置。
【請求項６】
前記視差制御部は、レンチキュラレンズであることを特徴とする請求項１に記載の画像表示装置。
【請求項７】
それぞれが所定数の色信号を有する複数のサブピクセル信号を含む第１の視差画像信号を、前記色信号ごとに直列に並べ替えて、前記色信号とそれぞれ対応する前記所定数の色信号列を含む第２の視差画像信号を生成する並べ替え部と、
立体視可能な範囲を広げるために、前記第２の視差画像信号に含まれる前記色信号列のそれぞれを水平方向にスケーリングして、第３の視差画像信号を生成するスケーリング部と、を備え、
前記第３の視差画像信号を用いて表示部に表示される画像を視聴者が立体視可能な範囲は、前記第２の視差画像信号を用いて前記表示部に表示される画像を立体視可能な範囲よりも広いことを特徴とする画像処理装置。
【請求項８】
前記スケーリング部は、前記第３の視差画像信号の少なくとも一部が表示される表示部を視聴する視聴者の位置に応じて、前記第２の視差画像信号をスケーリングすることを特徴とする請求項７に記載の画像処理装置。
【請求項９】
前記スケーリング部は、前記第３の視差画像信号の少なくとも一部が表示される表示部を視聴する視聴者の位置に応じた拡大率で前記第２の視差画像信号をスケーリングすることを特徴とする請求項７に記載の画像処理装置。
【請求項１０】
前記スケーリング部は、前記視聴者が前記表示部に近いほど拡大率を大きくすることを特徴とする請求項９に記載の画像処理装置。
【請求項１１】
入力画像信号に基づいて、前記複数の第１の視差画像信号を生成する多視差画像生成部を備えることを特徴とする請求項７に記載の画像処理装置。
【請求項１２】
それぞれが所定数の色信号を有する複数のサブピクセル信号を含む第１の視差画像信号を、前記色信号ごとに直列に並べ替えて、前記色信号とそれぞれ対応する前記所定数の色信号列を含む第２の視差画像信号を生成するステップと、
立体視可能な範囲を広げるために、前記第２の視差画像信号に含まれる前記色信号列のそれぞれを水平方向にスケーリングして、第３の視差画像信号を生成するステップと、を備え、
前記第３の視差画像信号を用いて表示部に表示される画像を視聴者が立体視可能な範囲は、前記第２の視差画像信号を用いて前記表示部に表示される画像を立体視可能な範囲よりも広いことを特徴とする画像処理方法。